(57)【要約】【課題】落雷等による過大な電流から通信の端末を保護するために通信回線を遮断するとともに、早期に通信回線の遮断を復旧して通信再開を可能とする電圧断報知回路を提供する。【解決手段】落雷等による過大な電流から通信端末を保護するために通信回線を遮断した後に導通を復旧させる電圧断報知回路であって、通信回線間の電圧を測定して通信回線の遮断を検出する電圧断検出部１１と、検出した検出結果を光情報にて出力する光情報出力手段（フォトカプラ発光部１２）と、検出した通信回線の遮断状況を光情報にて入力する光情報入力手段（フォトカプラ受光部１４）と、通信回線が遮断した旨の光情報を入力すると、通信回線の遮断復旧を指示する駆動信号を出力する駆動信号出力手段（カウンタ部２０）とを備えた。【選択図】    図１
2004349865.tif 000002
【特許請求の範囲】
【請求項１】
落雷等による過大な電流から通信端末を保護するために通信回線を遮断した後に導通を復旧させる電圧断報知回路であって、
通信回線間の電圧を測定して通信回線の遮断を検出する電圧断検出部と、
前記検出した検出結果を光情報にて出力する光情報出力手段と、
検出した通信回線の遮断状況を光情報にて入力する光情報入力手段と、
光情報入力手段が通信回線が遮断した旨の情報を入力すると、通信回線の遮断復旧を指示する駆動信号を出力する駆動信号出力手段と、
を備えたことを特徴とする電圧断報知回路。
【請求項２】
落雷等による過大な電流から通信端末を保護するために通信回線を遮断した後に導通を復旧させる電圧断報知回路であって、
通信回線間の電圧を測定して通信回線の遮断を検出する電圧断検出部と、
前記検出した検出結果を光情報にて出力する光情報出力手段と、
検出した通信回線の遮断状況を光情報にて入力する光情報入力手段と、
光情報入力手段が通信回線が遮断した旨の情報を入力すると、所定の時間遮断状態を監視して電圧断状態と判定し、通信回線の遮断復旧を指示する駆動信号を出力する駆動信号出力手段と、
を備えたことを特徴とする電圧断報知回路。
【請求項３】
前記駆動信号出力手段は、
光情報入力手段が通信回線が遮断した旨の情報を入力すると、計数用のパルスを発生する発振部と、
前記発振部が発生したパルスを計数し、所定のパルス数に達した際に電圧断状態と判定し、遮断復旧を指示する駆動信号を出力するカウンタ部と、
から構成されることを特徴とする請求項２の電圧断報知回路。
【請求項４】
前記電圧断検出部及び光情報出力手段を駆動する第１の電池と、
前記光情報入力手段と駆動信号出力手段を駆動する第２の電池と、
を備えたことを特徴とする請求項１、２又は３に記載の電圧断報知回路。
【請求項５】
前記駆動信号の出力回数を計数する駆動カウント部と、
前記駆動カウント部が計数した駆動信号の出力回数を表示する表示手段と、
前記駆動カウント数をリセットする信号を駆動カウント部に出力するリセット部と、
を備えたことを特徴とする請求項１乃至４に記載の電圧断報知回路。
【請求項６】
前記駆動信号を入力すると、通信回線に設けられた第１のヒューズから第２のヒューズに使用状態を切り替える切替手段を備えたことを特徴とする請求項１乃至５に記載の電圧断報知回路。
【発明の詳細な説明】
【０００１】
【発明の属する技術分野】
本発明は、通信回線等に接続される機器の電圧遮断を監視する電圧断報知回路に関する。
【０００２】
【従来の技術】
従来の保護回路を図２に示す。端末９７は、遠隔地に設けられた他の通信機器と情報の送受信を行なう通信機器である。ヒューズブロック９０は、端末９７に経由する通信回線の経路に設けられており、落雷等による過大な電流が通信回線を経由して端末９７に流入しようとする際に、通信回線を遮断して端末９７の破損を防止する機能を有するものである。
【０００３】
ヒューズブロック９０には、遠隔地に設けられた他の通信機器と情報の送受信を行なう通信の入力端子９１、９２と、端末９７に過大な電流が流れる際に溶断して電力を遮断するヒューズ９３、９４と、端末９７に対して通信回線を接続する出力端子９５、９６とが設けられている。
【０００４】
ヒューズブロック９０の入力端子９１、９２には通信回線が接続されるようになっており、通信回線に印加された直流電圧や重畳されている通信データを入力して、ヒューズ９３、９４を経由して出力端子９５、９６に出力し、端末９７に伝達する。端末９７は、受信した通信データ等に基づいた所定の動作を実行する。
【０００５】
通信回線に落雷があり、通信回線を経由して過大なサージ電流等が端末９７に流入する場合には、ヒューズ９３、９４が溶断して端末９７に過大な電流が流れないようにしている。
【０００６】
一方他の従来技術として、入力電源が遮断した場合これを検出し無停電電源より電源を供給する手段と、外部に電源断を通知する電源アラーム接点を有し、該電源アラーム接点にアラーム出力する手段と、無停電電源より給電時出力電圧が一定電圧以下になった場合に、前記電源アラーム接点に出力する手段と、タイマーカードに対して電源アラーム情報を出力する手段と、を有し、前記タイマーカードは、前記リレーボックスから出力される前記電源アラーム情報を受け、直ちに処理を中断し電源断に備える手段を有するパソコン自動制御装置が知られている（例えば、特許文献１参照。）。
【０００７】
【特許文献１】
特開平７−２２５６２９号公報  （第１−３ページ、第１図）
【０００８】
【発明が解決しようとする課題】
図２に示すヒューズブロック９３に設けられているヒューズ９３、９４が落雷等の過大な電流により溶断してしまうと、端末９７は破損を免れるものの、端末９７に対して通信データ等が印加されないため、端末９７は本来の通信の機能及び動作をしなくなる。従来このような場合には、端末９７を保守する作業者がこれを発見し、ヒューズ９３、９４を交換することにより通信機能を復旧させていた。
【０００９】
しかしながら、保守作業者が常駐している施設に端末９７が設けられている場合には、保守作業員がヒューズ９３、９４を交換する作業を行なうことにより、通信不能となる時間を短時間とすることが可能であるが、山間部や離島など保守作業員が常駐していない施設に端末９７が設けられている場合には、通信不能となる期間が長期間（例えば数日間）にわたってしまうという不具合を生じていた。
【００１０】
また、特許文献１に記載されているパソコン自動制御装置では、入力電源が遮断した際にこれを検出して直ちに処理を中断し、電源断に備えることが可能である旨記載されているが、入力電源の遮断に対して復旧する処置を自動で行なうことができないという不具合を生じていた。
【００１１】
そこで本発明は、上記従来の状況に鑑み、通信回線間の電圧を測定して通信回線の遮断を検出してその検出結果を光情報にて一旦報知ブロックに出力し、報知ブロックが通信回線が遮断した旨の情報を光情報にて入力すると、通信回線の遮断復旧を指示する駆動信号をヒューズブロックに対して出力して、落雷等による過大な電流から通信の端末を保護するために通信回線を遮断するとともに、早期に通信回線の遮断を復旧して通信の再開を可能とする電圧断報知回路を提供することを目的としている。
【００１２】
また本発明は、電圧断検出部と駆動信号出力手段との間をフォトカプラ等によって絶縁しつつ電源断信号の伝達を行なうようにすることにより、電源系や信号系から混入する雷サージの影響を除去することが可能な電圧断報知回路を提供することを目的としている。
【００１３】
また本発明は、独立した電池を設けて駆動することにより、電源系を介して混入する雷サージの影響を除去すると共に、雷サージにより通信回線の直流電圧が遮断された場合であっても、通信回線の経路に設けられたヒューズを自動で切り替えることによって通信回線の遮断を自動で復旧させることが可能な電圧断報知回路を提供することを目的としている。
【００１４】
また本発明は、ヒューズが切り替えられた回数を保守作業者が容易に観察することが可能な電圧断報知回路を提供することを目的としている。
【００１５】
また本発明は、通信回線に設けられた第１のヒューズから第２のヒューズに使用状態を自動で切り替える切替手段を備えて、落雷等による過大な電流から通信の端末を保護するために通信回線を遮断するとともに、早期に自動で通信回線の遮断を復旧することが可能な電圧断報知回路を提供することを目的としている。
【００１６】
【課題を解決するための手段】
上記課題を解決するために請求項１に記載の発明は、落雷等による過大な電流から通信端末を保護するために通信回線を遮断した後に導通を復旧させる電圧断報知回路であって、通信回線間の電圧を測定して通信回線の遮断を検出する電圧断検出部と、検出した検出結果を光情報にて出力する光情報出力手段と、検出した通信回線の遮断状況を光情報にて入力する光情報入力手段と、光情報入力手段が通信回線が遮断した旨の情報を入力すると通信回線の遮断復旧を指示する駆動信号を出力する駆動信号出力手段とを備えたことを特徴としている。
【００１７】
本発明によれば、通信回線間の電圧を測定して通信回線の遮断を検出し、検出結果を光情報にて出力伝達し、通信回線の遮断復旧を指示する駆動信号を出力するようにしたので、落雷等による過大な電流から通信の端末を保護するために通信回線を遮断するとともに、早期に自動で通信回線の遮断を復旧することが可能となる。
【００１８】
また、電圧断検出部と駆動信号出力手段との間をフォトカプラ等によって絶縁しつつ電源断信号の伝達を行なうようにしたので、電源系や信号系から混入する雷サージの影響を除去することが可能となる。
【００１９】
上記課題を解決するために請求項２に記載の発明は、落雷等による過大な電流から通信端末を保護するために通信回線を遮断した後に導通を復旧させる電圧断報知回路であって、通信回線間の電圧を測定して通信回線の遮断を検出する電圧断検出部と、検出した検出結果を光情報にて出力する光情報出力手段と、検出した通信回線の遮断状況を光情報にて入力する光情報入力手段と、光情報入力手段が通信回線が遮断した旨の情報を入力すると所定の時間遮断状態を監視して電圧断状態と判定して通信回線の遮断復旧を指示する駆動信号を出力する駆動信号出力手段とを備えたことを特徴としている。
【００２０】
本発明によれば、通信回線間の電圧を測定して通信回線の遮断を検出して検出結果を光情報にて出力伝達し、所定の時間遮断状態を監視して電圧断状態と判定して通信回線の遮断復旧を指示する駆動信号を出力するようにしたので、落雷等による過大な電流から通信の端末を保護するために通信回線を遮断するとともに、より確実に通信回線の遮断状態と判定して、早期に自動で通信回線の遮断を復旧することが可能となる。
【００２１】
上記課題を解決するために請求項３に記載の発明では、請求項２に記載の発明に加えて、駆動信号出力手段は、光情報入力手段が通信回線が遮断した旨の情報を入力すると計数用のパルスを発生する発振部と、発振部が発生したパルスを計数して所定のパルス数に達した際に電圧断状態と判定し、通信回線の遮断復旧を指示する駆動信号を出力するカウンタ部とから構成されることを特徴としている。
【００２２】
本発明によれば、発振部が発生したパルスを計数して電圧断状態と判定して通信回線の遮断復旧を指示する駆動信号を出力するようにしたので、より確実に通信回線の遮断状態と判定して、早期に通信回線の遮断を復旧することが可能となる。
【００２３】
上記課題を解決するために請求項４に記載の発明では、請求項１、２又は３に記載の発明において、電圧断検出部及び光情報出力手段を駆動する第１の電池と、光情報入力手段と駆動信号出力手段を駆動する第２の電池とを備えたことを特徴としている。
【００２４】
本発明によれば、独立した電池を設けて駆動するようにしたので、電源系を介して混入する雷サージの影響を除去できると共に、雷サージにより通信回線の直流電圧が遮断された場合であっても、一定時間監視後、駆動信号を出力してヒューズを切り替えて、通信回線の遮断を自動で復旧させることが可能となる。
【００２５】
上記課題を解決するために請求項５に記載の発明では、請求項１乃至４に記載の発明に加えて、駆動信号の出力回数を計数する駆動カウント部と、駆動カウント部が計数した駆動信号の出力回数を表示する表示手段と、駆動カウント数をリセットする信号を駆動カウント部に出力するリセット部とを備えたことを特徴としている。
【００２６】
本発明によれば、駆動信号の出力回数を表示する表示手段を備えたので、保守作業者は表示手段を見ることによって、ヒューズが切り替えられた回数を容易に観察することが可能となる。
【００２７】
上記課題を解決するために請求項６に記載の発明では、請求項１乃至５に記載の発明に加えて、駆動信号を入力すると、通信回線に設けられた第１のヒューズから第２のヒューズに使用状態を切り替える切替手段を備えたことを特徴としている。
【００２８】
本発明によれば、駆動信号を入力すると、通信回線に設けられた第１のヒューズから第２のヒューズに使用状態を切り替える切替手段を備えたので、落雷等による過大な電流から通信の端末を保護するために通信回線を遮断するとともに、早期に自動で通信回線の遮断を復旧することが可能となる。
【００２９】
【発明の実施の形態】
以下、本発明について詳細に説明する。
【００３０】
図１は、本発明に係る電圧断報知回路を含む通信システムの構成を示す図である。
【００３１】
図１に示すように通信用の端末７を含む通信システムには、雷サージ等が発生した場合に端末７と通信線（電線）との接続を遮断するヒューズブロック５０と、通信線の電圧を監視してヒューズブロック５０の働きにより端末７に対する通信線の電圧が遮断されたことを検出する電圧断検出ブロック６０と、電圧検出ブロック６０から電圧が遮断されたことを示す情報を入力してヒューズブロック５０に対してヒューズを切り替える駆動信号を出力する報知ブロック７０とが設けられている。
【００３２】
ヒューズブロック５０は、遠隔地に設けられた他の通信機器と情報の送受信を行なう端末７との間の通信回線の経路に設けられており、落雷等により通信回線を経由して端末７に過大な電流が流入しようとする際に通信回線を遮断して、端末７の破損を防止する機能を有する。
【００３３】
ヒューズブロック５０には、遠隔地に存在する他の通信機器と情報の送受信を行なう通信の入力端子１、２と、端末７に過大な電流が流れる際に電力を遮断するヒューズ３、４と、予備のヒューズ３’、３”、４’、４”…と、報知ブロック７０から入力した駆動信号に基づいてヒューズ３からヒューズ３’及びヒューズ４からヒューズ４’等に使用状態を切り替える処理を行なう切替手段５１と、端末７と通信回線とを接続する出力端子５、６とが設けられている。
【００３４】
ヒューズブロック５０の入力端子１、２には通信回線が接続されており、遠隔地に存在する他の通信機器によって通信回線に印加された直流電圧や重畳されている通信データを入力して、ヒューズ３、４…を介して出力端子５、６に出力し、端末７に伝達される。端末７は、受信した通信データ等に基づいた機能、動作を実行する。
【００３５】
電圧断検知ブロック６０には、通信線に対して並列に接続する入力端子８、９と、入力端子８、９から入力した通信線の電圧を高インピーダンスで受ける高インピーダンス入力部１０と、高入力インピーダンス部１０が取得した通信線の電圧値と所定の閾値とを比較して、通信線間における電圧値（直流電圧又は交流電圧）の有無を判断する電圧断検出部１１と、電圧断検出部１１が電圧値無し（電圧断）等を検出するとその検出結果に基づいて通信回線の遮断状況を光情報にて出力するフォトカプラ発光部１２（光情報出力手段）と、電圧断検出ブロック６０の各素子を動作させる電源となる第１の電池１３とが設けられている。
【００３６】
報知ブロック７０には、フォトカプラ発光部１２から出力される通信回線の遮断状況の光情報を入力するフォトカプラ受光部１４（光情報入力手段）と、フォトカプラ受光部１４が光を受光した際にフォトカプラ受光部１４が出力する電流を増幅する電流増幅部１５と、電流増幅部１５が出力する電流値を監視するオンディレィ等の短タイマ部１６（所定の時間通信遮断状態を監視して電圧断状態と判定する機能を割り当ててもよい）とが設けられている。
【００３７】
また、報知ブロック７０には、短タイマ部１６の出力値を反転してＯＲゲート２２の第１入力端子に出力し、通信回線が正常に導通している場合（直流電圧が印加されている場合）にカウンタ部２０をリセットする信号を出力する第１の反転部１７と、短タイマ部１６が出力した信号に基づいてパルス信号を連続して出力する発振部１８と、短タイマ部１６の出力と発振部１８の出力パルスとのＡＮＤ結果を出力して、通信回線が遮断されている場合（電圧が検出されない場合）にのみカウンタにクロックパルスを供給するＡＮＤゲート１９と、ＡＮＤゲート１９が出力するパルスを所定の値まで計数するカウンタ部２０（駆動信号出力手段）とが設けられている。
【００３８】
図１に示す回路例では、発振部１８は、フォトカプラ受光部１４（光情報入力手段）が通信回線が遮断した旨の情報を入力すると計数用のパルスを発生するように構成している。
【００３９】
カウンタ部２０にて計数したカウント数が所定の所定の数値（例えば２の２８乗など）に達すると、カウンタ部２０の出力端子からカウントアップ信号が出力される。このカウントアップ信号は、出力端子２７を介して後段に設けたリレー回路等の切替手段５１を駆動する信号となるとともに、カウンタ部２０の計数をリセットするためのＯＲゲート２２の第３入力端子に入力されている。
【００４０】
また、報知ブロック７０には、カウンタ部２０が出力したカウントアップ信号を入力してカウントアップ信号の出力回数を計数し、駆動状態表示部２５に対して計数結果を出力する駆動カウント部２３と、発振部１８からのクロック信号を入力してこれを反転出力し、駆動カウント部２３と駆動状態表示部２５の位相を最適にする第２の反転部２４と、計数結果を入力して表示用の情報に変換した表示情報を表示手段２６に対して出力する駆動状態表示部２５と、入力した表示情報に対応した表示を行なう表示手段２６と、報知ブロック７０の各素子に対して電力を供給する第２の電池２８と、保守作業員等の指示に基づいてカウンタ部２０と駆動カウント部２３とを初期状態にリセットするリセット部２１とが設けられている。
【００４１】
以下に、本発明に係る電圧断報知回路の作用について説明する。
最初の通信可能な状態では、ヒューズブロック５０の入力端子１と出力端子５及び、入力端子２と出力端子６とはヒューズ３及び４の働きにより導通状態にあるので、ヒューズブロック５０の出力端子５、６からは、通信回線の直流電圧が正常に出力している。この場合には、高インピーダンス入力部１０を介して電圧断検出部１１に電圧が入力され、電圧断検出部１１では「電圧有り」と判定するので、フォトカプラ発光部１２は発光しない。
【００４２】
フォトカプラ受光部１４は通信回線の遮断を示す光情報を受光しないので、電流増幅部１５、短タイマ部１６共に出力が“Ｌ”となり、発振部１８は発振せず、発振部１８の出力もパルス信号無しとなる。これによりＡＮＤゲート１９の出力はパルス信号無しとなり、カウンタ部２０はカウントできず、さらに第１の反転部１７の出力は“Ｈ”になり、ＯＲゲート２２の出力は“Ｈ”となるので、カウンタ部２０は停止した状態となっている。カウンタ部２０は計数を停止しているので、出力端子２７には駆動信号は表れず、ヒューズブロック５０の切替手段５１も新たな動作をしないので、通信回線の経路ではヒューズ３、４が使用され続けている。
【００４３】
例えば通信回線に落雷があり、通信回線を経由して過大なサージ電流がヒューズブロック５０を介して端末７に流入する場合には、ヒューズ３又は４が溶断して電流の電導路を遮断し、端末７に過大な電流が流れることを防止する。
【００４４】
ヒューズ３又は４が溶断すると、通信回線に印加されている直流電圧も溶断したヒューズ３又は４によって遮断されるので、出力端子５、６間には直流電圧が発生しなくなる。これにより入力端子８、９間の直流電圧もなくなり、高インピーダンス入力部１０を介して電圧断検出部１１に電圧が入力されなくなるので、電圧断検出部１１は電圧断と判定し、フォトカプラ発光部１２に対して発光する電流を流す制御を行なう。
【００４５】
するとフォトカプラ発光部１２が発光して、報知ブロック７０に対して通信回線の電圧が遮断されたことを示す情報（逆論理であってもよい）を出力する。この電圧断検出ブロック６０は、第１の電池１３で駆動されているので、通信回線に印加されている直流電圧が遮断された場合であっても、独自に機能を果たすことが可能となっている。
【００４６】
また、電圧検出ブロック６０と報知ブロック７０とはフォトカプラのみで接続されているので、アースや信号線を媒体とした雷サージの伝達を防止することが可能となっている。
【００４７】
報知ブロック７０にて、フォトカプラ発光部１２が発光した光（通信回線の電圧が遮断されたことを示す情報）を受光すると、電流増幅部１５は受信信号を増幅して短タイマ部１６に出力する。短タイマ部１６では、例えば０．５秒程度の短時間監視を行なった後に出力を“Ｈ”として、発振部１８、ＡＮＤゲート１９及び第１の反転部１７に対して出力する。
【００４８】
発振部１８が短タイマ部１６から“Ｈ”の信号を入力すると、発振部１８は発振を開始してパルス信号をＡＮＤゲート１９に対して出力する。ＡＮＤゲート１９では、短タイマ部１６と接続されている他方入力は“Ｈ”となっているので、ＡＮＤゲート１９の出力は発振部１８が出力する信号と同等のパルス信号が表れ、これをカウンタ部２０に入力する。
【００４９】
カウンタ部２０は一定時間パルスの計数を行い、あらかじめ設定したカウント数に到達した際には、カウンタ部２０から駆動信号“Ｈ”を出力端子２７を介して後段回路に出力すると共に、ＯＲゲート２２の第３端子に入力し、ＯＲゲート２２の出力によりカウンタ部２０はリセットされる。前記駆動信号“Ｈ”は更に駆動カウント部２３が入力し、駆動カウント部２３は１回目の駆動信号が出力したことを保持し、それを駆動状態表示部２５に出力する。
【００５０】
表示手段２６は、駆動状態表示部２５が出力する表示情報に基づいて、１回目の駆動信号が出力されて第２のヒューズセットに切り替えた旨を表示して、保守作業員等に通知する。
【００５１】
この報知ブロック７０は、第２の電池２８で駆動されているので、通信回線に印加されている直流電圧が遮断された場合であっても、独自に機能を果たすことが可能となっている。
【００５２】
ヒューズブロック５０に設けられている切替手段５１などのリレー回路等は、駆動信号“Ｈ”により接点等を動作させ、パイパス回路を構成させて、使用するヒューズをヒューズ３及び４から、ヒューズ３’及び４’に使用状態を切り替える。すると出力端子５、６には、通信回線に印加されている直流電圧が復旧する。
【００５３】
すると入力端子８、９にも直流電圧が復旧するので、高インピーダンス入力部１０を介して電圧断検出部１１は電圧有りと判定し、フォトカプラ発光部１２の発光は停止する。フォトカプラ受光部１４は光を受光しなくなるので、電流増幅部１５、短タイマ部１６共に出力は“Ｌ”となり、これにより発振部１８の発振は停止した状態となる。したがってカウンタ部２０は計数を停止するとともに、第１の反転部１７から出力されたリセット信号によりカウンタ部２０の計数値はリセットされ、初期状態に戻る。
【００５４】
前記ヒューズ３’及び４’を使用している場合において、更に通信回線に過大なサージ電流が印加され、ヒューズブロック内のヒューズ３’又は４’が溶断した場合には、再度出力端子５、６間には直流電圧が発生しなくなる。これにより入力端子８、９間の直流電圧もなくなり、前述の場合と同様にしてフォトカプラ発光部１２が発光して、報知ブロック７０に対して通信回線の電圧が遮断されたことを示す情報を再度出力する。
【００５５】
報知ブロック７０がフォトカプラ発光部１２が発光した光（通信回線の電圧が遮断されたことを示す情報）を受光すると、発振部１８、ＡＮＤゲート１９及び第１の反転部１７に対して“Ｈ”の信号が出力される。すると、発振部１８は発振を開始して、カウンタ部２０は一定時間パルスの計数を行う。
【００５６】
カウンタ部２０のカウント数が、あらかじめ設定したカウント数に到達すると、カウンタ部２０から駆動信号“Ｈ”がヒューズブロック５０の切替手段５１等に出力される。切替手段５１は駆動信号“Ｈ”により接点等を動作させ、更にパイパス回路を構成させて、ヒューズ３’及び４’から、ヒューズ３”及び４”に使用状態を切り替える。すると出力端子５、６には、通信回線の直流電圧が復旧する。
【００５７】
また、カウンタ部２０が出力した駆動信号“Ｈ”は駆動カウント部２３に出力されているので、駆動カウント部２３は２回目の駆動信号が出力したことを保持し、それを駆動状態表示部２５に出力する。表示手段２６は、駆動状態表示部２５が出力する表示情報に基づいて、２回目の駆動信号が出力されて第３のヒューズセットに切り替えられた旨を表示する。
【００５８】
通信回線の直流電圧が復旧すると、入力端子８、９に直流電圧が復旧するので、電圧断検出部１１は電圧有りと判定し、フォトカプラ発光部１２の発光は停止する。フォトカプラ受光部１４が光を受光しなくなると、電流増幅部１５、短タイマ部１６共に出力は“Ｌ”となり、これにより発振部１８の発振は停止した状態となる。したがってカウンタ部２０は計数を停止するとともに、第１の反転部１７から出力されたリセット信号によりカウンタ部２０の計数値はリセットされ、初期状態に戻る。
【００５９】
リセット部２１は、保守作業員等がスイッチを手動で押すことによりＯＲゲート２２を介してカウンタ部２０をリセットすると共に駆動カウント部２３をリセットし、初期状態に戻すことが可能となっている。図１に示す本発明の一実施例においては、駆動信号“Ｈ”の出力は３回までの回路となっているが、本発明は３回に限定されるものではなく、３回以上の回路とするには駆動カウント部２３の段数を増やすだけで容易に実現できる。
【００６０】
なお本発明は、電圧断検出ブロック６０、報知ブロック７０共に独立の電池を電源として用いているので、電源系から進入する雷サージの印加による誤動作や破損を除去することが可能となる。
【００６１】
【発明の効果】
以上、本発明に係る電圧断報知回路によれば、通信回線間の電圧を測定して通信回線の遮断を検出して検出結果を光情報にて出力伝達し、通信回線の遮断復旧を指示する駆動信号を出力するようにしたので、落雷等による過大な電流から通信の端末を保護するために通信回線を遮断するとともに、早期に自動で通信回線の遮断を復旧することが可能となる。
【００６２】
また、電圧断検出部と駆動信号出力手段との間をフォトカプラ等によって絶縁しつつ電源断信号の伝達を行なうようにしたので、電源系や信号系から混入する雷サージの影響を除去することが可能となる。
【００６３】
また、他の発明によれば、通信回線間の電圧を測定して通信回線の遮断を検出して検出結果を光情報にて出力伝達し、所定の時間遮断状態を監視して電圧断状態と判定し、通信回線の遮断復旧を指示する駆動信号を出力するようにしたので、落雷等による過大な電流から通信の端末を保護するために通信回線を遮断するとともに、より確実に通信回線の遮断状態と判定して、早期に自動で通信回線の遮断を復旧することが可能となる。
【００６４】
また、他の発明によれば、発振部が発生したパルスを計数して電圧断状態と判定して通信回線の遮断復旧を指示する駆動信号を出力するようにしたので、より確実に通信回線の遮断状態と判定し、早期に通信回線の遮断を復旧することが可能となる。
【００６５】
また、他の発明によれば、電圧断検出ブロック又は報知ブロックにおいて、それぞれが独立した電池にて稼働するようにしたので、電源系を介して混入する雷サージによる誤動作又は破損等の悪影響を除去できる。更に、雷サージにより通信回線の直流電圧が遮断された場合であっても、一定時間監視後に駆動信号を出力してヒューズを切り替えて、通信回線の遮断を自動で復旧させることが可能となる。
【００６６】
また、他の発明によれば、駆動信号の出力回数を表示する表示手段を備えたので、保守作業者は表示手段を見ることによって、ヒューズが切り替えられた回数を容易に観察することが可能となる。
【００６７】
また、他の発明によれば、駆動信号を入力した際に、通信回線に設けられた第１のヒューズから第２のヒューズに使用状態を切り替える切替手段を備えたので、落雷等による過大な電流から通信の端末を保護するために通信回線を遮断するとともに、早期に自動で通信回線の遮断を復旧することが可能となる。
【００６８】
また、本発明によれば、山間部、離島等の保守作業者の常駐しない通信設備における落雷による被害を減少させることが可能となる。
【図面の簡単な説明】
【図１】本発明に係る電圧断報知回路を含む通信システムの構成を示す図である。
【図２】従来の保護回路を示す図である。
【符号の説明】
１…入力端子
２…入力端子
５…出力端子
６…出力端子
７…端末
８…入力端子
９…入力端子
１０…高インピーダンス入力部
１１…電圧断検出部
１２…フォトカプラ発光部
１３…第１の電池
１４…フォトカプラ受光部
１５…電流増幅部
１６…短タイマ部
１７…第１の反転部
１８…発振部
１９…ＡＮＤゲート
２０…カウンタ部
２１…リセット部
２２…ＯＲゲート
２３…駆動カウント部
２４…第２の反転部
２５…駆動状態表示部
２６…表示手段
２７…出力端子
２８…第２の電池
５０…ヒューズブロック
５１…切替手段
６０…電圧断検出ブロック
７０…報知ブロック
９０…ヒューズブロック
９１…入力端子
９２…入力端子
９３…ヒューズ
９４…ヒューズ
９５…出力端子
９６…出力端子
９７…端末
【図１】
2004349865.tif 000003
【図２】
2004349865.tif 000004